(57)【要約】【課題】剥離フィルムに貼着された粘着テープを容易に剥離できる粘着テープ剥離補助具を提供する。【解決手段】基材シート（１３ａ）上に糊層（１３ｂ）が配設された粘着テープ（１３）と、粘着テープの糊層上に貼着された剥離フィルム（１５）と、からなるテープシート（１１）の剥離フィルムを粘着テープから剥離するための粘着テープ剥離補助具（２）であって、テープシートの剥離フィルム側が貼着される粘着部（８）が表面（４ａ）に形成された本体（４）と、ヒンジ部によって本体に連結された粘着部を覆い保護する蓋部（６）と、からなる構成とした。【選択図】図２
2015113423.tif 000002
【特許請求の範囲】
【請求項１】
基材シート上に糊層が配設された粘着テープと、該粘着テープの該糊層上に貼着された剥離フィルムと、からなるテープシートの該剥離フィルムを該粘着テープから剥離するための粘着テープ剥離補助具であって、
テープシートの該剥離フィルム側が貼着される粘着部が表面に形成された本体と、
ヒンジ部によって該本体に連結された該粘着部を覆い保護する蓋部と、からなることを特徴とする粘着テープ剥離補助具。
【請求項２】
請求項１に記載の粘着テープ剥離補助具を用いて、基材シート上に糊層が配設された粘着テープと、該粘着テープの該糊層上に貼着された剥離フィルムと、からなるテープシートの該剥離フィルムを該粘着テープから剥離する粘着テープ剥離方法であって、
該粘着部にテープシートの角部の該剥離フィルム側を貼着する貼着ステップと、
該剥離フィルム側が該粘着部に貼着保持された状態で該角部の粘着テープを剥離する剥離ステップと、を備えたことを特徴とする粘着テープ剥離方法。
【発明の詳細な説明】
【技術分野】
【０００１】
本発明は、剥離フィルムに貼着された粘着テープを剥離するために使用される粘着テープ剥離補助具、及びこの粘着テープ剥離補助具を用いる粘着テープ剥離方法に関する。
【背景技術】
【０００２】
半導体ウェーハに代表される板状の被加工物を複数のチップへと分割する際には、チップの分散を防いでハンドリング性を維持するために、被加工物の裏面側にダイシングテープを貼着することがある（例えば、特許文献１参照）。
【０００３】
また、被加工物の裏面側を研削する際には、ＩＣ等のデバイスを保護する保護テープを被加工物の表面側に貼着することもある（例えば、特許文献２参照）。ダイシングテープや保護テープのような粘着テープは、通常、ロール状に巻回された状態で取引されており、その貼着面には、保護用の剥離フィルムが貼着されている。
【先行技術文献】
【特許文献】
【０００４】
【特許文献１】特開平２−２６９１７１号公報
【特許文献２】特開平５−１９８５４２号公報
【発明の概要】
【発明が解決しようとする課題】
【０００５】
ところで、上述した粘着テープは、作業者の手作業で被加工物に貼着されることがある。その場合、例えば、作業者は、適当なサイズに切断した粘着テープの端部から剥離フィルムを剥離して、貼着面が露出した状態の粘着テープを被加工物に貼り付ける。
【０００６】
しかしながら、通常、粘着テープと剥離フィルムとは密着した状態で同じサイズに切断されるので、この方法では必ずしも剥離フィルムを効率的に剥離できず、粘着テープの貼着に要する時間が長くなっていた。
【０００７】
本発明はかかる問題点に鑑みてなされたものであり、その目的とするところは、剥離フィルムに貼着された粘着テープを容易に剥離できる粘着テープ剥離補助具及び粘着テープ剥離方法を提供することを目的とする。
【課題を解決するための手段】
【０００８】
本発明によれば、基材シート上に糊層が配設された粘着テープと、該粘着テープの該糊層上に貼着された剥離フィルムと、からなるテープシートの該剥離フィルムを該粘着テープから剥離するための粘着テープ剥離補助具であって、テープシートの該剥離フィルム側が貼着される粘着部が表面に形成された本体と、ヒンジ部によって該本体に連結された該粘着部を覆い保護する蓋部と、からなることを特徴とする粘着テープ剥離補助具が提供される。
【０００９】
また、本発明によれば、前記粘着テープ剥離補助具を用いて、基材シート上に糊層が配設された粘着テープと、該粘着テープの該糊層上に貼着された剥離フィルムと、からなるテープシートの該剥離フィルムを該粘着テープから剥離する粘着テープ剥離方法であって、該粘着部にテープシートの角部の該剥離フィルム側を貼着する貼着ステップと、該剥離フィルム側が該粘着部に貼着保持された状態で該角部の粘着テープを剥離する剥離ステップと、を備えたことを特徴とする粘着テープ剥離方法が提供される。
【発明の効果】
【００１０】
本発明の粘着テープ剥離補助具は、テープシートの剥離フィルム側が貼着される粘着部を備えるので、この粘着部にテープシートの角部の剥離フィルム側を貼着して、粘着テープ側から角部に僅かな力を加えるだけで、粘着テープを剥離フィルムから容易に剥離できる。すなわち、本発明の粘着テープ剥離補助具及び粘着テープ剥離方法によれば、剥離フィルムに貼着された粘着テープを容易に剥離できる。
【図面の簡単な説明】
【００１１】
【図１】本実施の形態に係る粘着テープ剥離補助具の構成例を模式的に示す斜視図である。
【図２】図２（Ａ）は、本実施の形態に係る粘着テープ剥離方法の貼着ステップを模式的に示す斜視図であり、図２（Ｂ）は、貼着ステップを模式的に示す断面図である。
【図３】図３（Ａ）及び図３（Ｂ）は、本実施の形態に係る粘着テープ剥離方法の剥離ステップを模式的に示す斜視図である。
【発明を実施するための形態】
【００１２】
以下、添付図面を参照して、本発明の実施の形態について説明する。図１は、本実施の形態に係る粘着テープ剥離補助具の構成例を模式的に示す斜視図である。図１に示すように、粘着テープ剥離補助具２は、略矩形状の平板でなる本体４と、本体４の一端部に連結された蓋（蓋部）６とを備えている。
【００１３】
本体４の表面４ａ側には、凹部４ｂが形成されており、この凹部４ｂ内には、テープシート１１（図２参照）を貼着する粘着材（粘着部）８が配置されている。粘着材８は、例えば、ウレタンゲル、シリコンゲル等でなり、テープシート１１の貼着に必要な粘着力を有している。
【００１４】
テープシート１１は、樹脂材料でなる基材シート１３ａ（図２（Ｂ）参照）の片面に粘着性の糊層１３ｂを設けた粘着テープ１３と、粘着テープ１３の糊層１３ｂに貼着された剥離フィルム１５とを含んでいる。粘着材８には、このテープシート１１の剥離フィルム１５側が貼着される。
【００１５】
また、粘着材８は、貼着されたテープシート１１を容易に剥離できるように、ある程度の硬さを備えている。具体的には、例えば、貼着されたテープシート１１の粘着テープ１３側を剥離するために力を加えても、作業者の手の爪等が埋設しない程度の硬さに形成されている。これにより、テープシート１１を剥離する際の作業性を高めることができる。
【００１６】
本体４の一端部には、切り欠き部４ｃが形成されている。この切り欠き部４ｃには、蓋６の一端部に設けられた凸部６ａが係合されている。切り欠き部４ｃと凸部６ａとは、本体４及び蓋６の長手方向に垂直な回動軸（不図示）を介して連結されており、蓋６は、この回動軸の周りに回動する。すなわち、切り欠き部４ｃと凸部６ａとは、蓋６を開閉するヒンジ（蝶番）部を構成している。
【００１７】
蓋６は、粘着材８の全面を覆うことができるサイズに形成されており、上述のように蓋６を閉じると、粘着材８の全面が蓋６で覆われる。これにより、粘着テープ剥離補助具２の不使用時（例えば、搬送時）に粘着材８を保護して、汚損等による粘着力の低下を防止できる。粘着テープ剥離補助具２の使用時には、図１に示すように蓋６を開いて粘着材８を露出させれば良い。
【００１８】
なお、本実施の形態では、粘着材８を、ウレタンゲル、シリコンゲル等で構成しているので、粘着材８に粉塵等が付着して粘着力が低下した場合でも、粘着材８を洗浄することで粘着力を回復させることができる。
【００１９】
次に、上述した粘着テープ剥離補助具２を用いる粘着テープ剥離方法について説明する。図２（Ａ）は、本実施の形態に係る粘着テープ剥離方法の貼着ステップを模式的に示す斜視図であり、図２（Ｂ）は、貼着ステップを模式的に示す断面図である。図３（Ａ）及び図３（Ｂ）は、本実施の形態に係る粘着テープ剥離方法の剥離ステップを模式的に示す斜視図である。
【００２０】
本実施の形態に係る粘着テープ剥離方法では、まず、粘着材８にテープシート１１を貼着する貼着ステップを実施する。この貼着ステップでは、まず、図２（Ａ）に示すように、粘着テープ剥離補助具２の蓋６を開いて粘着材８を露出させ、粘着材８にテープシート１１の剥離フィルム１５側を対面させる。
【００２１】
次に、テープシート１１の角部１１ａを粘着材８に接近させて、角部１１ａの剥離フィルム１５側を粘着材８の表面に接触させる。上述のように、粘着材８は、テープシート１１の貼着に必要な粘着力を有している。そのため、粘着テープ剥離補助具２の粘着材８には、図２（Ｂ）に示すように、テープシート１１の角部１１ａの剥離フィルム１５側が貼着される。
【００２２】
貼着ステップを実施した後には、テープシート１１の粘着テープ１３側を剥離する剥離ステップを実施する。剥離ステップでは、まず、図３（Ａ）に示すように、作業者の手２１でテープシート１１の角部１１ａに力を加え、粘着材８に貼着されたテープシート１１から粘着テープ１３側の一部を剥離する。
【００２３】
具体的には、例えば、テープシート１１の角部１１ａを爪で引っ掻くようにして力を加え、粘着テープ１３と剥離フィルム１５とを角部１１ａにおいて分離する。次に、図３（Ｂ）に示すように、剥離フィルム１５から分離された粘着テープ１３を手２１でつまんで引き剥がす。
【００２４】
これにより、粘着テープ１３は剥離フィルム１５から剥離される。上述のように、本実施の形態に係る粘着テープ剥離補助具２の粘着材８は、テープシート１１の貼着に必要な粘着力を備えるともに、作業者の手２１の爪等が埋設しない硬さに構成されているので、粘着テープ１３の剥離性を高め、高い作業性を実現できる。
【００２５】
以上のように、本実施の形態に係る粘着テープ剥離補助具２は、テープシート１１の剥離フィルム１５側が貼着される粘着材（粘着部）８を備えるので、この粘着材８にテープシート１１の角部１１ａの剥離フィルム１５側を貼着して、粘着テープ１３側から角部１１ａに僅かな力を加えるだけで、粘着テープ１３を剥離フィルム１５から容易に剥離できる。すなわち、本実施の形態に係る粘着テープ剥離補助具２及び粘着テープ剥離方法によれば、剥離フィルム１５に貼着された粘着テープ１３を容易に剥離できる。
【００２６】
なお、本発明は上記実施の形態の記載に限定されず、種々変更して実施可能である。例えば、上記実施の形態の粘着材８は、作業者の手２１の爪等が埋設しない程度に硬く形成されているが、粘着材８は柔軟に構成されても良い。
【００２７】
ただし、この場合には、作業者の手２１の爪等が粘着材８に埋設され難くなるように、粘着材８を薄くしておくと良い、これにより、粘着テープ１３の剥離性を高め、高い作業性を維持できる。
【００２８】
その他、上記実施の形態に係る構成、方法などは、本発明の目的の範囲を逸脱しない限りにおいて適宜変更して実施できる。
【符号の説明】
【００２９】
２  粘着テープ剥離補助具
４  本体
４ａ  表面
４ｂ  凹部
４ｃ  切り欠き部
６  蓋（蓋部）
６ａ  凸部
８  粘着材（粘着部）
１１  テープシート
１３  粘着テープ
１３ａ  基材シート
１３ｂ  糊層
１５  剥離シート
２１  手
【図１】
2015113423.tif 000003
【図２】
2015113423.tif 000004
【図３】
2015113423.tif 000005